(57)【要約】【課題】防水性能のよい、壁パネル、目地材、壁パネルの目地部構造、及び壁パネルの取付工法を提供することにある。【解決手段】枠材２１に外壁面材２２を張り付けた壁パネル２であって、外壁面材２２の裏面側を覆い枠材２１と外壁面材２２との間に張設した透湿防水シート２５の周縁が、壁パネル２の端面までまわり込ませて張り付けられていることを特徴とする。【選択図】  図１
2004346532.tif 000002
【特許請求の範囲】
【請求項１】
枠材に外壁面材を張り付けた壁パネルであって、外壁面材の裏面側を覆い枠材と外壁面材との間に張設した透湿防水シートの周縁が、壁パネルの端面までまわり込ませて張り付けられていることを特徴とする壁パネル。
【請求項２】
隣接配置された壁パネル間の目地部に目地材を設けた壁パネルの目地部構造であって、隣接配置された壁パネルは、いずれも、請求項１記載のものであり、目地部では一方の壁パネルと他方の壁パネルの端面に張り付けられた透湿防水シート間に目地材が配置されていることを特徴とする壁パネルの目地部構造。
【請求項３】
隣接する壁パネル間の目地部に設ける目地材であって、目地部に装着される目地本体と、目地本体の一側に設けられ隣接する壁パネル間に跨がって壁パネルの木口を隠すように取り付けられる見切りとからなり、前記目地本体は、目地部の略中心を通り目地部を略二分する長尺の板材を備え、該板材の両側それぞれの面には、板材と直交し板材の幅方向に互いに離れた一対の脚板が立設され、該脚板間には水密材が充填され、該水密材は脚板の先から突出する厚さ寸法になされ、板材の一方側に設けられた脚板の先から板材の他方側に設けられた脚板の先までの間隔は、目地部の幅と略一致する寸法になされていることを特徴とする目地材。
【請求項４】
前記目地材は、請求項３記載のものであることを特徴とする請求項２記載の壁パネルの目地部構造。
【請求項５】
複数の壁パネルを建物躯体の左右方向に隣接して配置し、該壁パネル間の垂直目地部に請求項３記載の目地材を取り付ける壁パネルの取付工法において、
隣接する壁パネルの一方を建物躯体に取り付けた後、該壁パネルの端面に前記目地材の一方側の脚板を当接して取り付け、その後、隣接する他方の壁パネルの端面を目地材の反対側の脚板に当接させて建物躯体に取り付けることを特徴とする壁パネルの取付工法。
【請求項６】
前記目地材の脚板間に充填された水密材の露出する表面に、予め滑り性を良くする加工を施しておき、前記壁パネルを建物躯体の軸組に沿わせて所定の高さ位置にジャッキアップして取り付けることを特徴とする請求項５記載の壁パネルの取付工法。
【請求項７】
前記壁パネルは、請求項１記載のものであることを特徴とする請求項５または６記載の壁パネルの取付工法。
【発明の詳細な説明】
【０００１】
【発明の属する技術分野】
本発明は、壁パネル、目地材、壁パネルの目地部構造、及び壁パネルの取付工法に関する。
【０００２】
【従来の技術】
従来、特許文献１に記載されているように、目地の目立たない外壁の目地部の構造が知られている。このような外壁の目地部の構造は、外壁パネルの板材（外壁面材）の裏面の周縁よりも若干後退させて枠材を設け、この一対の外壁パネルを近接させて設置し、枠材間に目地材を圧縮挿入し、一対の外壁パネルの板材によって目地材が略隠蔽されてなるようにしたものである。
【０００３】
【特許文献１】
特許第２６７２１１９号公報
【０００４】
【発明が解決しようとする課題】
しかしながら、上記特許文献１記載のような従来技術にあっては、以下のような問題がある。
（１）  隣接する外壁パネル間は水密になるが、枠材と外壁面材との間から水が浸入する恐れがあり、外壁パネル端面の水密性に不安がある。このため、枠材と外壁面材間を全面接着する等して、枠材〜外壁面材間を水密にしなければならない。
（２）  外壁面材の木口が見えるため、意匠上から木口面が好ましくない外壁面材を使用できない。このため、外壁面材の使用制限を受けることとなる。
【０００５】
本発明の主要な課題は、防水性能のよい、壁パネル、目地材、壁パネルの目地部構造、及び壁パネルの取付工法を提供することにある。
【０００６】
【課題を解決するための手段】
請求項１記載の発明は、枠材に外壁面材を張り付けた壁パネルであって、外壁面材の裏面側を覆い枠材と外壁面材との間に張設した透湿防水シートの周縁が、壁パネルの端面までまわり込ませて張り付けられていることを特徴とする。
【０００７】
請求項２記載の発明は、隣接配置された壁パネル間の目地部に目地材を設けた壁パネルの目地部構造であって、隣接配置された壁パネルは、いずれも、請求項１記載のものであり、目地部では一方の壁パネルと他方の壁パネルの端面に張り付けられた透湿防水シート間に目地材が配置されていることを特徴とする。
【０００８】
請求項３記載の発明は、隣接する壁パネル間の目地部に設ける目地材であって、目地部に装着される目地本体と、目地本体の一側に設けられ隣接する壁パネル間に跨がって壁パネルの木口を隠すように取り付けられる見切りとからなり、前記目地本体は、目地部の略中心を通り目地部を略二分する長尺の板材を備え、該板材の両側それぞれの面には、板材と直交し板材の幅方向に互いに離れた一対の脚板が立設され、該脚板間には水密材が充填され、該水密材は脚板の先から突出する厚さ寸法になされ、板材の一方側に設けられた脚板の先から板材の他方側に設けられた脚板の先までの間隔は、目地部の幅と略一致する寸法になされていることを特徴とする。
【０００９】
請求項４記載の発明は、前記目地材は、請求項３記載のものであることを特徴とする請求項２記載の壁パネルの目地部構造である。
【００１０】
請求項５記載の発明は、複数の壁パネルを建物躯体の左右方向に隣接して配置し、該壁パネル間の垂直目地部に請求項３記載の目地材を取り付ける壁パネルの取付工法において、
隣接する壁パネルの一方を建物躯体に取り付けた後、該壁パネルの端面に前記目地材の一方側の脚板を当接して取り付け、その後、隣接する他方の壁パネルの端面を目地材の反対側の脚板に当接させて建物躯体に取り付けることを特徴とする。
【００１１】
請求項６記載の発明は、請求項５記載の壁パネルの取付工法において、前記目地材の脚板間に充填された水密材の露出する表面に、予め滑り性を良くする加工を施しておき、前記壁パネルを建物躯体の軸組に沿わせて所定の高さ位置にジャッキアップして取り付けることを特徴とする。
【００１２】
請求項７記載の発明は、請求項５または６記載の壁パネルの取付工法において、前記壁パネルは、請求項１記載のものであることを特徴とする。
【００１３】
（作用）
請求項１記載の本発明の壁パネルによると、透湿防水シートの周縁が、壁パネルの端面までまわり込ませて張り付けられているので、外壁面材裏面側は端面を含めて透湿防水シートで覆われ、水密性が向上して防水性能がよい。
このため、外壁面材自体および外壁面材間には軽微な防水性があればよく良くなり、広く普及しているサイディング材等の使用ができ、外壁面材選択の自由が飛躍的に拡がる。
【００１４】
請求項２記載の本発明の壁パネルの目地部構造によると、隣接配置された壁パネルは、いずれも、請求項１記載のものであるから、壁パネル端面から水の浸入はなく、目地部では一方の壁パネルと他方の壁パネルの端面に張り付けられた透湿防水シート間に目地材が配置されているので、目地部の防水性能がよい。
【００１５】
請求項３記載の本発明の目地材によると、目地部に装着される目地本体と、壁パネルの木口を隠すように取り付けられる見切りとからなるので、外壁パネル間の防水性能が良いとともに、外壁面材の木口を隠すことができ、目地部の外観意匠が良い。このため、木口面の意匠が好ましくない外壁面材であっても使用できるので、外壁面材選択の幅が拡がる。
前記目地本体は、脚板間に水密材が充填され、該水密材は脚板の先から突出する厚さ寸法になされているので、目地部装着時に水密材が適切な圧縮状態になって防水性能が確保される。また、この脚板は、その間に水密材を充填するときガイドの役割をし、よじれ防止にも役立つ。
また、板材の一方側に設けられた脚板の先から板材の他方側に設けられた脚板の先までの間隔は、目地部の幅と略一致する寸法になされているので、外壁パネルの位置決めにも役立つ。
【００１６】
請求項４記載の本発明は、請求項２記載の壁パネルの目地部構造において、前記目地材は、請求項３記載のものであるから、請求項２記載の作用効果に加えて、さらに、請求項３記載のものと同様の作用効果を奏する。
【００１７】
請求項５記載の本発明の壁パネルの取付工法によると、隣接する壁パネルの一方を建物躯体に取り付けた後、該壁パネルの端面に前記目地材の一方側の脚板を当接して取り付け、その後、隣接する他方の壁パネルの端面を目地材の反対側の脚板に当接させて建物躯体に取り付けるので、両側の水密材が適切な圧縮状態になって防水性能が良い。
【００１８】
請求項６記載の本発明の壁パネルの取付工法によると、さらに、前記目地材の脚板間に充填された水密材の露出する表面に、予め滑り性を良くする加工を施しておき、前記壁パネルを建物躯体の軸組に沿わせて所定の高さ位置にジャッキアップして取り付けるので、ジャッキアップ時に水密材が壁パネルの端面で擦られ損傷するのを防止できる。
【００１９】
請求項７記載の本発明の壁パネルの取付工法によると、さらに、前記壁パネルは、請求項１記載のものであるから、請求項５または６記載の作用効果に加えて、前記請求項１記載のものと同じ作用効果を奏する。
【００２０】
【発明の実施の形態】
図１〜図７は、本発明の一実施形態であって、図１（ａ）は壁パネルの斜視図であり、（ｂ）は（ａ）のＹ−Ｙ線における断面図である。図２は図１の壁パネルを取り付けた建物の南面正面図である。図３（ａ）は目地材の斜視図であり、（ｂ）は目地材を分解して示す断面図であり、（ｃ）は目地材の変形例である。図４は、壁パネルの目地部構造を示す水平断面図である。図５は壁パネルの取付工法を説明する水平断面図であり、図６は壁パネルの取付工法を示すもので、隣接する壁パネルの正面図である。図７（ａ）は壁パネルの取付工法を示す垂直断面図であり、（ｂ）は（ａ）のＡ−Ａ線における水平断面図である。
【００２１】
本実施の形態において、建物１は、図２に示すように、２階建てであって、基礎上に据え付けた建物躯体に１階壁パネル２，２，２と、その上に２階壁パネル３，３，３と、小壁パネル４，４，４とを取り付けて構築されている。
上記の壁パネル２，３，４は、いずれも、工場組立されたものである。
【００２２】
（壁パネル）
そこで、本実施の形態の壁パネルを、１階壁パネル２で代表して説明する。
１階壁パネル２は、図１（ａ）に示すように、開口窓を備えた大判矩形状であって、図１（ｂ）に示すように、寸法型式２０６材または２０４材等の規格製材からなる枠材２１と、スタッコ仕上げ等で仕上げたサイディングボードからなる外壁面材２２と、ハードボードからなる内壁下地面材２３とからパネル状に構成されている。
外壁面材２２と、内壁下地面材２３との間には空間部が形成され、ガラスウール等の断熱材２４が充填され、外壁面材２２の裏面側には透湿防水シート２５が張設されている。透湿防水シート２５としては、湿気は通すが水は通さない微多孔質ポリエチレンシート（旭化成株式会社製、商品名タイベック）を使用した。
【００２３】
外壁面材２２の裏面側を覆い枠材２１と外壁面材２２との間に張設した透湿防水シート２５の周縁は、壁パネル２の端面となる枠材２１の側面までまわり込ませ、接着剤等を用いて張り付けられている。
【００２４】
２階壁パネル３は、図２に示すように、開口窓を備えた大判矩形状であって、横幅と高さが上記１階壁パネル２と同じ大きさにされている。また、小壁パネル４は、図２に示すように、５角形等の異形であって、横幅は壁パネル２，３と同じで、２階壁パネル３と屋根４との間に取り付けられる。
２階壁パネル３と、小壁パネル４は、図１に示した上記１階壁パネル２の構成と同様であるから、詳細な説明は省略する。
【００２５】
（壁パネルの目地部構造）
本実施の形態の壁パネルの目地部構造を、図４に示す１階壁パネル２，２で代表して説明する。
本実施の形態の壁パネル２，２の目地部構造は、左右に隣接配置された壁パネル２，２間の垂直方向の目地部に目地材６を設けたものである。
隣接配置された壁パネル２，２は、いずれも、前記した通りのものであり、目地部では一方の壁パネル２と他方の壁パネル２の端面に張り付けられた透湿防水シート２５間に目地材６が配置されている。
【００２６】
（目地材）
上記目地部構造に用いる目地材６について、図３を参照して詳細に説明する。
目地材６は、左右で隣接する壁パネル２，２間の垂直目地部に設けられる。目地材６は、目地部に装着される目地本体７と、目地本体７の一側に設けられ隣接する壁パネル２，２間に跨がって壁パネル２の木口を隠すように取り付けられる見切り８とから構成される。
目地本体７はアルミニウム製押出し材からなり、見切り８は木製であるが、図３（ｃ）に示すように、見切り８も目地本体７と一体のアルミニウム製押出し材であってもよい。
【００２７】
前記目地本体７は、目地部の略中心を通り目地部を略二分する長尺の板材７１と、この板材７１の一側に見切り取付部７２とを備えている。前記見切り８は、接着剤またはビス等を使用してこの見切り取付部７２に取り付けられる。
上記板材７１の両側それぞれの面には、板材７１と直交し板材７１の幅方向に互いに離れた一対２組の脚板（７３，７３）、（７３，７３）が立設されている。
上記脚板７３の先端は、互いに向き合う内側方向にわずかに折り曲げられ、脚板７３，７３間には水密材９が充填されている。この水密材９は脚板７３の先から突出する厚さ寸法になされている。水密材９は、ＥＰＤＭ（エチレン−プロピレン  ターポリマー）発泡体で形成されているが、ポリウレタン発泡体等、圧縮して水密がとれるものであれば特に限定されない。
板材７１の一方側に設けられた脚板７３の先から板材７１の他方側に設けられた脚板７３の先までの間隔ｌ（図３（ａ）参照）は、目地部の幅Ｌ（図４参照）と一致する寸法になされている。
【００２８】
（壁パネルの取付工法）
つぎに、壁パネル２，２の取付工法について、図４〜図６を参照しながら、以下の手順を追って説明する。
（１）  先ず、前記小壁パネル４（図２参照）は、屋根５と同様地上で施工してリフトアップし、屋根５下方に予め取り付けておく。
【００２９】
（２）  小壁パネル４と基礎８との間に１階壁パネル２と２階壁パネル３を挿入して取り付けるが、ここでは、先ず、隣接する１階壁パネル２，２の一方（図４の右側の壁パネル２）を間柱１１等の建物躯体に取り付ける（図５の状態）。
（３）  上記のようにして取り付けた一方（右側）の１階壁パネル２の左端面に目地材６をビス１０にて取り付ける（図５参照）。目地材６の取付は、室内側から施工する。
その際、前記目地材６の一方側の脚板７３を１階壁パネル２の端面に当接し、水密材９，９を圧縮する。
【００３０】
（４）  上記のようにして取り付けた目地材６の壁パネル２と反対側では、水密材９，９が露出している。この水密材９，９の露出する表面に、ポリシリコーン等のスプレー液を予め塗布し、滑り性を良くする加工を施しておく。
【００３１】
（５）  その後、隣接する他方の１階壁パネル２（左側）の右端面を目地材６の反対側の脚板７３に当接させ、水密材９，９を圧縮する。この際、他方の壁パネル２は、上下方向にスライド可能なように建物躯体に仮止め固定しておく。
【００３２】
（６）  図６に示すように、前記他方の壁パネル２を、その下端部と基礎１２との間に爪付きジャッキ等を設置し、建物躯体の軸組に沿わせて所定の高さ位置にジャッキアップし、先に取り付けた一方の壁パネル２と高さ位置を合わせ、軸組に固定する。
【００３３】
なお、１階壁パネル２と２階壁パネル３との間には、図７に示すように、水密材１４，１４（ＥＰＤＭ発泡体）を前記水密材９，９と直交する位置に２列に配設している。このようにすると、上下階の壁パネル２，３間と左右の壁パネル２，２間の目地交点の防水が、互いの水密材９，１４を突き当て圧縮するだけのシンプルで経済的な納まりにできる。
図７において、１２は位置決め用のガイドピンであり、１３はスペーサーであり、１５は水平の見切りである。
【００３４】
（実施の形態の作用）
（１）  本実施の形態の壁パネル２によると、透湿防水シート２５の周縁が、壁パネル２の端面までまわり込ませて張り付けられているので、外壁面材２２裏面側は端面を含めて透湿防水シート２５で覆われ、水密性が向上して防水性能がよい。
このため、外壁面材２２自体および外壁面材２２間には軽微な防水性があればよく良くなり、広く普及しているサイディング材等の使用ができ、外壁面材選択の自由が飛躍的に拡がる。
【００３５】
（２）  本実施の形態の目地部構造によると、隣接配置された壁パネル２，２は、いずれも、上記のものであるから、壁パネル２端面から水の浸入はなく、目地部では一方の壁パネル２と他方の壁パネル２の端面に張り付けられた透湿防水シート２５，２５間に目地材６が配置されているので、目地部の防水性能がよい。
【００３６】
（３）  本実施の形態の目地材６によると、目地部に装着される目地本体７と、壁パネル２の木口を隠すように取り付けられる見切り８とからなるので、外壁パネル２，２間の防水性能が良いとともに、外壁面材２２の木口を隠すことができ、目地部の外観意匠が良い。このため、木口面の意匠が好ましくない外壁面材であっても使用できるので、外壁面材選択の幅が拡がる。
【００３７】
上記目地本体７は、脚板７３間に水密材９が充填され、該水密材９は脚板７３の先から突出する厚さ寸法になされているので、目地部装着時に水密材９が適切な圧縮状態になって防水性能が確保される。また、この脚板７３は、その間に水密材９を充填するときガイドの役割をし、よじれ防止にも役立つ。
また、板材７１の一方側に設けられた脚板７３の先から板材７１の他方側に設けられた脚板７３の先までの間隔ｌは、目地部の幅Ｌと略一致する寸法になされているので、外壁パネル２の位置決めにも役立つ。
さらにまた、水密材９は、２列に配置されているので、防水の信頼性が高い。
【００３８】
（４）  本実施の形態の壁パネル２の取付工法によると、隣接する壁パネル２の一方を建物躯体に取り付けた後、該壁パネル２の端面に前記目地材６の一方側の脚板７３を当接して取り付け、その後、隣接する他方の壁パネル２の端面を目地材６の反対側の脚板７３に当接させて建物躯体に取り付けるので、両側の水密材９，９が適切な圧縮状態になって防水性能が良い。
【００３９】
目地材６の取付は室内側から施工できるので、建物外周に足場を設置せずともよい。
【００４０】
さらに、前記目地材６の脚板７３間に充填された水密材９の露出する表面に、予め滑り性を良くする加工を施しておき、前記壁パネル２を建物躯体の軸組に沿わせて所定の高さ位置にジャッキアップして取り付けるので、ジャッキアップ時の壁パネル２の動きをスムーズにでき、水密材９が壁パネル２の端面で擦られ損傷するのを防止できる。
【００４１】
以上、本発明の一実施の形態を図面により詳述したが、本発明の具体的な構成はこの実施の形態に限られるものではなく、本発明の要旨を逸脱しない範囲の設計の変更等があっても本発明に含まれる。例えば、壁パネル２の枠材は鋼製のものであってもよく、水密材９は３列以上あってもよい。
【００４２】
【発明の効果】
請求項１記載の本発明の壁パネルによると、外壁面材裏面側は端面を含めて透湿防水シートで覆われ、水密性が向上して防水性能がよい。
このため、外壁面材自体および外壁面材間には軽微な防水性があればよく良くなり、広く普及しているサイディング材等の使用ができ、外壁面材選択の自由が飛躍的に拡がる。
【００４３】
請求項２記載の本発明の壁パネルの目地部構造によると、壁パネル端面から水の浸入はなく、目地部の防水性能がよい。
【００４４】
請求項３記載の本発明の目地材によると、外壁パネル間の防水性能が良いとともに、外壁面材の木口を隠すことができ、目地部の外観意匠が良い。このため、木口面の意匠が好ましくない外壁面材であっても使用できるので、外壁面材選択の幅が拡がる。
また、板材の一方側に設けられた脚板の先から板材の他方側に設けられた脚板の先までの間隔は、目地部の幅と略一致する寸法になされているので、外壁パネルの位置決めにも役立つ。
【００４５】
請求項４記載の本発明は、請求項２記載の壁パネルの目地部構造において、前記目地材は、請求項３記載のものであるから、請求項２記載の作用効果に加えて、さらに、請求項３記載のものと同様の作用効果を奏する。
【００４６】
請求項５記載の本発明の壁パネルの取付工法によると、両側の水密材が適切な圧縮状態になって防水性能が良い。
【００４７】
請求項６記載の本発明の壁パネルの取付工法によると、さらに、ジャッキアップ時に水密材が壁パネルの端面で擦られ損傷するのを防止できる。
【００４８】
請求項７記載の本発明の壁パネルの取付工法によると、さらに、前記壁パネルは、請求項１記載のものであるから、請求項５または６記載の作用効果に加えて、前記請求項１記載のものと同じ作用効果を奏する。
【図面の簡単な説明】
【図１】本発明の一実施形態であって、（ａ）は壁パネルの斜視図であり、（ｂ）は（ａ）のＹ−Ｙ線における断面図である。
【図２】図１の壁パネルを取り付けた建物の南面正面図である。
【図３】（ａ）は目地材の斜視図であり、（ｂ）は目地材を分解して示す断面図であり、（ｃ）は目地材の変形例である。
【図４】壁パネルの目地部構造を示す水平断面図である。
【図５】壁パネルの取付工法を説明する水平断面図である。
【図６】壁パネルの取付工法を示すもので、隣接する壁パネルの正面図である。
【図７】（ａ）は壁パネルの取付工法を示す垂直断面図であり、（ｂ）は（ａ）のＡ−Ａ線における水平断面図である。
【符号の説明】
１  建物
２  １階壁パネル
２１  枠材
２２  外壁面材
２５  透湿防水シート
３  ２階壁パネル
６  目地材
７  目地本体
７１  板材
７３  脚板
８  見切り
９  水密材
【図１】
2004346532.tif 000003
【図２】
2004346532.tif 000004
【図３】
2004346532.tif 000005
【図４】
2004346532.tif 000006
【図５】
2004346532.tif 000007
【図６】
2004346532.tif 000008
【図７】
2004346532.tif 000009